(57)【要約】【課題】簡易な生体情報測定手段を用いても、高価で大型な装置と変わらない精度で、生体状態の評価を行うことができ、また被験者の個人差を考慮した生体状態の評価を可能とした生体状況評価装置及び生体状況評価方法を提供する。【解決手段】生体状況評価装置１０は、生体情報測定手段１１により測定した生体情報である脈波から、特徴抽出手段１２によって、前記測定された脈波の特徴情報Ｆを抽出する。独立成分分析手段１３にて、前記抽出された特徴情報に含まれている独立成分を抽出し、有意成分算出手段１４にて、抽出された独立成分から有意な成分を算出する。有意成分算出手段１４に算出した生体評価信号をフィードバックして、参照信号生成手段１５が生成した参照信号と比較して、有意成分算出関数の最適化を行う。【選択図】図１
2010005000.tif 000002
【特許請求の範囲】
【請求項１】
測定された生体情報に基づいて、評価対象とする生体の状態の評価を示す生体評価信号を算出する生体状況評価装置であって、
生体情報を測定する生体情報測定手段と、
前記生体情報測定手段により測定された生体情報から特徴情報を抽出する特徴抽出手段と、
前記特徴抽出手段により抽出された特徴情報に含まれる独立成分を独立成分分析関数に基づいて抽出する独立成分分析手段と、
前記独立成分分析手段により抽出された独立成分から、有意な成分を有意成分算出関数に基づいて算出する有意成分算出手段と、
前記有意成分算出手段により算出された有意成分を用いて生体評価信号を算出する生体評価信号算出手段と、
を備えたことを特徴とする生体状況評価装置。
【請求項２】
前記有意成分算出手段に、算出した有意成分あるいは生体評価信号をフィードバックして有意成分の最適化を行う比較基準とする基準参照信号を生成する参照信号生成手段をさらに備え、
被験者特有の特性を考慮する場合、
前記有意成分算出手段は、フィードバックされた有意成分と生体信号の少なくともいずれかと、前記参照信号生成手段により算出された参照信号とを比較して、その誤差が最小になる有意成分算出関数を求めて保持することを特徴とする請求項１に記載の生体状況評価装置。
【請求項３】
前記参照信号生成手段は、参照信号を、予め設定しておいた理想的あるいは典型的な信号として生成することを特徴とする請求項２に記載の生体状況評価装置。
【請求項４】
前記参照信号生成手段は、参照信号を、過去に算出された生体評価信号に基づいて生成することを特徴とする請求項２に記載の生体状況評価装置。
【請求項５】
前記参照信号生成手段は、参照信号を、過去に算出された複数の生体評価信号を平均化することにより生成することを特徴とする請求項４に記載の生体状況評価装置。
【請求項６】
前記独立成分分析手段は、前記特徴抽出手段により得られた特徴情報から、独立成分を抽出するための独立成分分析関数を求めて保持することを特徴とする請求項２乃至５のいずれかに記載の生体状況評価装置。
【請求項７】
被験者にフィードバックによる有意成分算出関数を求めるための準備動作を指示する準備動作指示手段を備えることを特徴とする請求項２乃至６のいずれかに記載の生体状況評価装置。
【請求項８】
前記生体情報測定手段は、被験者の脈波を測定し、
前記特徴抽出手段は、特定情報として心拍関連情報及び血圧関連情報を抽出し、
前記生体評価信号算出手段は、前記心拍関連情報と前記血圧関連情報の特定の周波数帯の情報を抽出し、前記抽出情報から相互相関係数の最大値を生体評価信号として算出することを特徴とする請求項１乃至７のいずれかに記載の生体状況評価装置。
【請求項９】
前記特徴抽出手段は、前記生体情報測定手段により得られた脈波の波形から拍内積分値を前記血圧関連情報として算出することを特徴とする請求項８のいずれかに記載の生体状況評価装置。
【請求項１０】
前記特定周波数帯は、０．０８Ｈｚ〜０．１２Ｈｚを含むことを特徴とする請求項８又は９に記載の生体状況評価装置。
【請求項１１】
測定された生体情報に基づいて、評価対象とする生体の状態の評価を示す生体評価信号を算出する生体状況評価方法であって、
測定された生体情報から、予め設定しておいた特徴情報を抽出する特徴抽出ステップと、
抽出された特徴情報に含まれる独立成分を独立成分分析関数に基づいて抽出する独立成分分析ステップと、
有意成分算出手段により、抽出された独立成分から、有意な成分を有意成分算出関数に基づいて算出する有意成分算出ステップと、
算出された有意成分を用いて生体評価信号を算出する生体評価信号算出ステップと、
を備えたことを特徴とする生体状況評価方法。
【請求項１２】
被験者特有の特性を考慮する場合、
フィードバックされた有意成分と生体信号の少なくともいずれかと、比較基準となる参照信号とを比較して、その誤差が最小になる有意成分算出関数を求める最適化ステップを備え、
前記有意成分算出ステップにおいて、最適化ステップにて求めた有意成分算出関数を用いて有意成分を算出することを特徴とする請求項１１に記載の生体状況評価装置。
【発明の詳細な説明】
【技術分野】
【０００１】
本発明は、生体状況を正確に評価するための生体評価装置および生体状況評価方法に関する。
【背景技術】
【０００２】
近年、高齢化社会や代謝症候群（メタボリックシンドローム）の問題で健康の自己管理が注目を浴びている。最も注目されているのは生活習慣病である。生活習慣を変えれば回避や早期回復が可能と言われている。自分の生活習慣に問題があることを気づかせるために健康状態を短時間で簡単に評価する方法が一番有効と考えられる。そこで、健康状態の指標として自律神経機能を評価するという方法が知られている。
【０００３】
後述する非特許文献１では、血行循環に現れる低周波数に基づいた自立神経機能の評価方法が提案されている。
体内においては、血圧の揺らぎを抑制するためにフィードバックループに基づいて、自律神経の働きなどで心拍数の操作が常に行われている。システムに遅れが生じるため、血行循環にマイヤー波と呼ばれている周期約１０秒の低周波数の揺らぎが現れる。非特許文献１で提案されている評価方法は、「生体状況が急変すると血圧と心拍数のそれぞれのマイヤー波の相互相関が変化する。」との仮説に立脚している。まず、マイヤー波の揺らぎを心拍数変動と血圧変動からそれぞれ抽出し、相互相関係数を算出し、その相互相関係数の最大値を時系列データとして蓄積する。そして、蓄積された最大相互相関係数の時系列データにより、自律神経機能の評価を行う。最大相互相関係数が１から離れれば離れるほど、自律神経機能の効率が低下していると評価できる。このように生体状況を評価する最大相互相関係数をρｍａｘと記す。
【０００４】
ρｍａｘは安静時、フィードバックコントロールが乱れなく機能するため、ρｍａｘが高い値となる。図９（ａ）は、安静時の心拍数におけるマイヤー波と、血圧関連情報におけるマイヤー波を示し、図９（ｂ）はそのマイヤー波の遅延を用いた相互相関係数およびρｍａｘを示す。一般に、外部刺激などの影響で、自律神経機能が崩れて制御が乱れると、ρｍａｘが低下すると考えられている。外部刺激はストレサ（ストレス要因）による刺激である。例えば、非特許文献１では、映像酔いを起こす手振れ映像でρｍａｘを検証している。図１０（ａ）は、外部刺激があった場合の心拍数におけるマイヤー波と血圧関連情報におけるマイヤー波を示し、図１０（ｂ）は、そのマイヤー波の相互相関係数およびρｍａｘを示す。
【０００５】
以下、この評価方法を、図面を参照して詳細に説明する。
【０００６】
図１１は、ρｍａｘを用いた従来の生体状況評価装置の構成を示すブロック図である。従来の生体状況評価装置２００は、脈波を測定する脈波測定手段２０１と、測定された生体情報である脈波に基づいて、特徴情報を抽出する特徴抽出手段２０２と、抽出された特徴情報に基づいて生体評価する信号ρｍａｘを算出する生体評価信号算出手段２０３とから構成される。特徴抽出手段２０２は、心拍に関連する情報を抽出する心拍関連情報抽出手段２０５と、血圧関連情報を抽出する血圧関連情報抽出手段２０６とからなる。
【０００７】
以下に、ρｍａｘを用いた従来の生体状況評価手法の詳細を図１２のフローチャートを用いて説明する。
【０００８】
ステップＳ１０１にて、脈波測定手段２０１を用いて、時系列データとして脈派の波形を測定する。測定装置としては、小型で拘束感が殆どない光電式指先容積脈波計を用いる。ステップＳ１０２にて、ユーザやシステムが測定の終了を求めているかどうかを確認する。終了が求められたらステップＳ１０３に移動する。それ以外の場合はステップＳ１０１に戻り、脈波の測定を継続する。
【０００９】
ステップＳ１０３にて、特徴抽出手段２０２は、前記ステップＳ１０２で測定された脈波の波形データから立ち上がり点を求め、各脈拍の立ち上がり時間と終了時間を求める。ステップＳ１０４にて、生体状況評価装置２００の心拍関連情報抽出手段２０５が、脈波測定手段２０１が測定した脈波の波形から心拍数の変動を算出し、その時系列データをメモリ等の記録手段に記録する。心拍数の算出は、例えば、前記ステップＳ１０３で記録された各脈拍の立ち上がり時間と終了時間から差分を算出し、逆数を求める方法がある。
【００１０】
ステップＳ１０５にて、心拍関連情報抽出手段２０５は、前記ステップＳ１０４で記録された心拍数の時系列データから、マイヤー波を抽出する。一般的にマイヤー波を抽出するためにバンドパスフィルタが使われている。フィルター処理の方法によって、前記ステップＳ１０４で算出された心拍数の時系列データを補間する必要がある。例えば、２Ｈｚの周波数でスプライン補間を行うことが望ましい。
【００１１】
ステップＳ１０６にて、生体状況評価装置２００の血圧関連抽出手段２０６は、脈波測定手段２０１が測定した脈波の波形から血圧関連情報の変動を算出して、その時系列データをメモリ等の記録手段に記録する。例えば、前記ステップＳ１０３で測定された各脈の立ち上がり時間と終了時間に基づいて、前記ステップＳ１０１で測定された脈波の波形を脈拍ごとに分解して、拍内積分値を求める方法が知られている。
【００１２】
ステップＳ１０７にて、血圧関連測定手段２０６は、前記ステップＳ１０６で記録された血圧関連情報の時系列データから、マイヤー波を抽出する。一般的にマイヤー波を抽出するためにバンドパスフィルタが使われている。フィルター処理の方法によって、前記ステップＳ１０６で算出された血圧関連情報の時系列データを補間する必要がある。例えば、２Ｈｚの周波数でスプライン補間を行うことが望ましい。
【００１３】
ステップＳ１０８にて、マイヤー波に基づいて生体評価信号（ρｍａｘ）算出手段２０３がρｍａｘを算出する。ρｍａｘは次の手順で算出されている。前記ステップＳ１０５で抽出された心拍数におけるマイヤー波の時系列データと、前記ステップＳ１０７で抽出された血圧関連情報におけるマイヤー波の時系列データから、相互相関係数を算出し、最大相関係数の値を求めて、この値をρｍａｘとする。ステップＳ１０９にて、前記ステップＳ１０８で算出されたρｍａｘの時系列データを出力し、終了する。
【非特許文献１】杉田典大、吉澤  誠、田中  明、阿部健一、山家智之、仁田新一：血圧-心拍数間の最大相互相関係数を用いた映像刺激の生体影響評価、ヒューマンインタフェース学会論文誌、Ｖｏｌ．４、Ｎｏ．４、ｐｐ．２２７−２３４（２００２年１１月)。
【発明の開示】
【発明が解決しようとする課題】
【００１４】
しかし、例えば、非特許文献１に開示されている方法では、データの取得が容易な反面、血圧情報との乖離が課題である。上述のように小型で拘束感が殆どない光電式指先容積脈波計などを使用した場合は、脈拍の拍内積分値を用いた方法で血圧情報を求めることになるが、やはり直接血圧情報を測定する連続血圧計測装置などの測定値に比較すると、正確性が明らかに劣ってしまう。そのため、正確な生体状況評価を行うには、高価で大型、しかも拘束感が強い連続血圧計測装置などの装置が必要となり、被験者の自由度が減少し、測定できる被験者の動作が限定されてしまうことにもなる。
【００１５】
また、被験者も個人差があり、生体状況を評価するにも、個人差を考慮しなければ正確な評価とはいえないが、従来の技術では十分考慮されているとは言い難い。
【００１６】
本発明は、上記の問題点を考慮して、簡易な生体情報測定手段を用いても、高価で大型な装置と変わらない精度で、生体状態の評価を行うことができ、また被験者の個人差を考慮した生体状態の評価を可能とした生体状況評価装置及び生体状況評価方法を提供することが目的である。
【課題を解決するための手段】
【００１７】
本発明は、測定された生体情報に基づいて、評価対象とする生体の状態の評価を示す生体評価信号を算出する生体状況評価装置であって、
生体情報を測定する生体情報測定手段と、前記生体情報測定手段により測定された生体情報から特徴情報を抽出する特徴抽出手段と、前記特徴抽出手段により抽出された特徴情報に含まれる独立成分を独立成分分析関数に基づいて抽出する独立成分分析手段と、前記独立成分分析手段により抽出された独立成分から、有意な成分を有意成分算出関数に基づいて算出する有意成分算出手段と、前記有意成分算出手段により算出された有意成分を用いて生体評価信号を算出する生体評価信号算出手段と、を備えたことを特徴とする。
【００１８】
また、本発明は、前記有意成分算出手段に、算出した有意成分あるいは生体評価信号をフィードバックして有意成分の最適化を行う比較基準とする基準参照信号を生成する参照信号生成手段をさらに備え、
被験者特有の特性を考慮する場合、前記有意成分算出手段は、フィードバックされた有意成分と生体信号の少なくともいずれかと、前記参照信号生成手段により算出された参照信号とを比較して、その誤差が最小になる有意成分算出関数を求めて保持することを特徴とする。
【００１９】
ここで、前記参照信号生成手段は、参照信号を、予め設定しておいた理想的あるいは典型的な信号として生成したり、過去に算出された生体評価信号に基づいて生成したりする場合がある。特に、過去に算出された生体評価信号に基づいて生成する場合は、過去に算出された複数の生体評価信号を平均化することにより生成する。
【００２０】
また、前記独立成分分析手段は、前記特徴抽出手段により得られた特徴情報から、独立成分を抽出するための独立成分分析関数を求めて保持することを特徴とする。
【００２１】
また、本発明は、被験者にフィードバックによる有意成分算出関数を求めるための準備動作を指示する準備動作指示手段を備えてもよい。
【００２２】
また、本発明において、前記生体情報測定手段は、被験者の脈波を測定し、前記特徴抽出手段は、特定情報として心拍関連情報及び血圧関連情報を抽出し、前記生体評価信号算出手段は、前記心拍関連情報と前記血圧関連情報の特定の周波数帯の情報を抽出し、前記抽出情報から相互相関係数の最大値を生体評価信号として算出することを特徴とする。
【００２３】
さらに、前記特徴抽出手段は、前記生体情報測定手段により得られた脈波の波形から拍内積分値を前記血圧関連情報として算出してもよいし、前記特定周波数帯は、０．０８Ｈｚ〜０．１２Ｈｚを含んでもよい。
【００２４】
本発明は、測定された生体情報に基づいて、評価対象とする生体の状態の評価を示す生体評価信号を算出する生体状況評価方法であって、
測定された生体情報から、予め設定しておいた特徴情報を抽出する特徴抽出ステップと、抽出された特徴情報に含まれる独立成分を独立成分分析関数に基づいて抽出する独立成分分析ステップと、有意成分算出手段により、抽出された独立成分から、有意な成分を有意成分算出関数に基づいて算出する有意成分算出ステップと、算出された有意成分を用いて生体評価信号を算出する生体評価信号算出ステップと、を備えたことを特徴とする。
【００２５】
被験者特有の特性を考慮する場合、フィードバックされた有意成分と生体信号の少なくともいずれかと、比較基準となる参照信号とを比較して、その誤差が最小になる有意成分算出関数を求める最適化ステップを備え、前記有意成分算出ステップにおいて、最適化ステップにて求めた有意成分算出関数を用いて有意成分を算出することを特徴とする。
【発明の効果】
【００２６】
本発明によれば、測定した生体情報から特徴情報を漏れなく抽出して、独立成分分析と有意成分算出を行って生体状況評価を行うので、高価で大型な生体情報測定装置を用いずに同等の精度が得られる。さらに、フィードバックされた有意成分と生体信号の少なくともいずれかと、比較基準となる参照信号とを比較して、有意成分算出関数を設定するので、被験者の個人差を十分に考慮した生体状況評価を行うことが出来る。
【発明を実施するための最良の形態】
【００２７】
以下、本発明を実施するための最良の形態を、図面を参照して詳細に説明する。
【００２８】
図１は、本発明の形態における生体状況評価装置の構成を示すブロック図である。
この生体状況評価装置１０は、生体情報である脈波を測定する生体情報測定手段１１と、前記測定された脈波の特徴情報Ｆを抽出する特徴抽出手段１２と、前記抽出された特徴情報Ｆを分析して含まれている独立成分ＩＣを抽出する独立成分分析手段１３と、前記独立成分分析手段１３により抽出された独立成分ＩＣから有意な成分Ｓを算出する有意成分算出手段１４と、前記有意成分算出手段１４に算出した生体評価信号をフィードバックして有意成分の最適化を行う比較基準とする基準参照信号を生成する参照信号生成手段１５と、スイッチスイッチ前記特徴情報Ｆと前記有意成分算出手段により算出された有意成分Ｓを用いて生体評価信号（ρｍａｘ）を算出する生体評価信号算出手段１６と、被験者に準備動作を指示する準備動作指示手段１７とから構成される。
【００２９】
独立成分分析手段１３には、独立成分抽出処理を制御するスイッチ２１が配置されている。また、有意成分算出手段１４には、有意成分の調整のためのフィードバックを制御するスイッチ２２が配置されている。いずれも詳しいことは後述する。
【００３０】
また、生体情報測定手段１１で測定された測定データ、特徴抽出手段１２で特定抽出するための情報、独立成分分析手段１３の独立分析関数（関数の係数を含む）、有意成分算出手段１４の有意成分算出関数（関数の係数を含む）等は、図示しない記録手段（例えば、メモリやハードディスク等）に記録される。
【００３１】
脈波を測定する生体情報測定手段１１として、指先などに装着できる光電式指先容積脈波計が多く使われている。図２に光電式指先容積脈波計を示す。この光電式指先容積脈波計３０は、発光部３１と、受光部３２とにより構成されているものが一般的である。この脈波計３０の原理は、血流量に応じて光の透過度が変化することを利用して脈波を得る方法に基づいている。得られる脈波は図３で示すような形をしている。
【００３２】
得られた脈波の波形を特徴抽出手段１２に入力する。特徴抽出手段１２は、例えば図３に示すように、前記脈波の波形から次のような特徴情報を求める。
・心臓拡張期の時間（Ｆ１）
・屈曲点とその時間（Ｆ２）
・脈拍のピーク及びバイアス（Ｆ３）
・ 脈拍頻度（Ｆ４）
・拍内積分値または正規化拍内積分値（Ｆ５）
【００３３】
上記の特徴情報の定義は以下の通りである。
【００３４】
心臓拡張期の時間とは、脈拍のピークから次の脈拍の立ち上がり点までの時間である。屈曲点とは、脈拍のスタートからピークまでの間における脈波速度の最大値となる点である。脈拍のピークとは、脈拍の最大値である。脈拍のバイアスとは、脈拍の最終点の値である。
【００３５】
脈拍頻度とは、脈波の立ち上がり点の間の間隔、言い換えれば脈拍の時間である。尚、ここでの立ち上がり点とは、図４で示すように脈波速度の最大値となる点の近傍における脈波波形の極小値である。心電図の波形で一番大きくスパイク状に出るＲ波と次のＲ波までの間隔を示すＲＲ間隔と同等である。また、ＲＲ間隔から以下の式（１）のように瞬時心拍数ＨＲが求められる。
【００３６】
【数１】
2010005000.tif 000003
【００３７】
正規化拍内積分値とは、脈拍積分値を脈拍のＲＲ間隔で割ったものである（以下に記載の式（２）参照）。以下より拍内積分値をＰＷＡと、正規化拍内積分値をＮＰＷＡと記す。
【００３８】
【数２】
2010005000.tif 000004
【００３９】
尚、ＰＷＡは、ベースライン（脈拍の最小値を結ぶ線）の下にある積分値を含まないように算出されるが、ベースラインの下にある積分値を足しても良いし、ベースラインの下にある積分値を特徴情報のリストに加えても良い。
【００４０】
独立成分抽出処理を制御するスイッチ２１がＯＮの場合、測定生体情報に基づいた独立成分分析が有効となる。スイッチ２１がＯＦＦの場合、独立成分分析が無効になり、以前に得られた独立成分抽出関数（記録手段に記録されている独立成分抽出関数）を用いて、独立成分を出力する。
【００４１】
前記有意成分算出手段１４におけるフィードバックを制御するスイッチ２２がＯＮの場合、フィードバックによる最適化処理が有効となる。スイッチ２２がＯＦＦの場合、フィードバックが無効になり、以前に得られた有意成分算出関数（記録手段に記録されている有意成分算出関数）を用いて、有意成分を出力する。
【００４２】
また、両方のスイッチ２１、２２がＯＮである状態を以下、学習モードと呼ぶ。両方のスイッチ２１、２２がＯＦＦである状態を以下、評価モードと呼ぶ。
【００４３】
なお、スイッチ２１がＯＦＦ、スイッチ２２がＯＮの場合も学習モードであり、求められた係数（aij）をそのまま利用し、別の条件で有意成分の最適化を行いたい時に使う。スイッチ２１がＯＮの場合、スイッチ２２がＯＦＦの場合、論理上では意味がないので、モード設定は行われない。以下の説明では、両方のスイッチ２１、２２が同時にＯＮあるいはＯＦＦの場合について説明する。
【００４４】
次に、学習モードでの生体状況評価装置の動作を詳しく説明する。学習モードとは、被験者の個人差による生体評価の変動を抑えるため、予め個人差を考慮して、独立成分分析関数や有意成分算出関数を定めるモードである。
【００４５】
独立成分分析手段１３において、特徴抽出手段１２から得られた特徴情報Ｆ１〜Ｆ５から、独立成分分析方を用いて独立成分ＩＣ１、ＩＣ２、ＩＣ３を抽出するための係数ａ１１、ａ１２、・・・、ａ１５、ａ２１、ａ２２、・・・、ａ５５を求め、独立成分ＩＣ１、ＩＣ２、ＩＣ３を下記の式で算出する。算出された独立成分ＩＣ１、ＩＣ２、ＩＣ３を有意成分算出手段１４へ出力する。  
【００４６】
【数３】
2010005000.tif 000005
【００４７】
尚、独立成分分析法では係数aijを求めるために、コスト関数を設定する。例えば、算出された独立成分の非ガウス性をコスト関数と設定し、最大化になるように係数aijを求める方法が知られている。また、コスト関数を相互情報量と設定し、最小化になるように係数aijを求める方法もある。
【００４８】
また、独立成分分析を行う前にprewhitening又はspheringと呼ばれている処理を行うのが一般的である。その前処理は計測されたデータの相関を無くすために用いられている。
【００４９】
独立成分分析手段１３は、求めた係数aijをメモリ等の記憶手段に保持する。係数aijは、独立成分ＩＣを求める混合行列の要素であり、これを記憶手段に保持することにより、独立成分分析関数としての式（３）を保持していることになる。
【００５０】
有意成分算出手段１４において、前記独立成分分析手段１３から得られた独立成分ＩＣ１、ＩＣ２、ＩＣ３から有意な成分Ｓを以下の式で算出して、生体評価信号算出手段１６へ出力する。尚、初期化の時は係数ｂ１、ｂ２、ｂ３を適当に決める。
【００５１】
【数４】
2010005000.tif 000006
【００５２】
生体評価信号ρｍａｘは、特徴抽出手段１２から出力される特徴情報Ｆ１〜Ｆ５と有意成分算出手段１４で算出された有意成分Ｓを基に生体評価信号ρｍａｘを算出する。ρｍａｘの場合、心拍数が必要であるため、特徴情報である脈拍頻度Ｆ４を特別特徴情報と選定して、生体評価信号算出手段１６に出力する。
【００５３】
有意成分算出手段１４は、求めた係数ｂｉを算出したメモリ等の記憶手段に保持する。係数ｂｉは、有意成分Ｓを求める混合行列の要素であり、これを記憶手段に保持することにより、有意成分算出関数としての式（４）を保持していることになる。
【００５４】
こうして、測定された生体情報から特徴情報を抽出して、独立成分、さらにその有意成分を算出して、生体評価信号を算出するので、簡易な生体情報測定装置であっても、正確な生体評価が可能となる。従来の方法に比べれば、独立成分を用いることによって、個人差と関係なく、血圧関連情報をより正確に抽出できる。具体的には、個人ごとに混合行列を算出することで、個人ごとの循環系の特性に沿ったパラメータ（係数等）の設定を行なうことができるので、個人差を解消することが可能となる。
【００５５】
算出された生体評価信号ρｍａｘが有意成分算出手段１４にフィードバックされ、参照信号生成手段１５により出力された参照評価信号との二乗平均平方根誤差を求める。このときの参照評価信号は、例えば後述する曲型的な特性を有する生体評価信号ρｍａｘである。有意成分Ｓを算出するための係数ｂ１、ｂ２、ｂ３を調整し、前記の処理を繰り返す。係数ｂ１、ｂ２、ｂ３の調整方法は、例えば焼きなまし法が知られている。これは、二乗平均平方根誤差に基づいて、最適な有意成分、つまり参照信号と生体評価信号との誤差が一番少なくなるような係数ｂ１、ｂ２、ｂ３を求めて、有意成分算出関数を定め、有意成分を算出する。こうして、被験者の個人差を考慮した生体状況評価が可能となる。以上で学習モードでの動作を説明した。
【００５６】
次に、評価モードでの生体状況評価装置の動作を詳しく説明する。評価モードとは、学習モードで設定した独立成分分析関数や有意成分算出関数を用いて、生体状況を評価するモードである。
【００５７】
独立成分分析手段１３において、学習モードで行われた独立成分分析処理の際に得られた独立成分ＩＣ１、ＩＣ２、ＩＣ３を抽出するための係数a11、a12、・・・、a15、a21、a22、・・・、a55を保持しており、特徴抽出手段１２で抽出された特徴情報Ｆ１〜Ｆ５から以下の式（３）で独立成分ＩＣ１、ＩＣ２、ＩＣ３を算出し、有意成分算出手段１４へ出力する。
【００５８】
有意成分算出手段１４において、学習モードで行われた最適化処理の際に得られた有意成分Ｓを算出するための係数ｂ１〜ｂ３を保持しており、有意成分Ｓを式（４）で算出し、生体評価信号算出手段１６へ出力する。
【００５９】
生体評価信号算出手段１６は特徴抽出手段１２で得られた特別特徴情報Ｆ４（脈拍頻度）と、有意成分算出手段１４で算出された有意成分Ｓを基に、生体評価信号ρｍａｘを算出する。例えば、非特許文献１に記載の方法でρｍａｘを算出する。この場合、特別特徴情報として脈拍頻度もしくは心拍数を用いることが必要であり、この実施形態では上述のように脈拍頻度を用いている。以上で評価モードでの動作を説明した。
【００６０】
生体状況評価手法の詳細を図５のフローチャートを用いて生体状況評価装置の動作を詳しく説明する。
【００６１】
ステップＳ１にて、モードの設定を確認する。学習モードの場合、ステップＳ２にて、学習モード用の生体評価を行う。それ以外の場合、ステップＳ３にて評価モード用の生体状況評価を行う。これらもモード設定は、前述のように、独立成分分析手段１３におけるスイッチ２１と、有意成分算出手段に設けたスイッチ２２のＯＮ／ＯＦＦにより切り替える。すなわち、両スイッチをＯＮにした場合は、典型的な応答を起こす実験条件で、ユーザに合ったモデルを求めることができる学習モードである。また、両方のスイッチをＯＦＦにすると、評価モードとすることができる。
【００６２】
次に、図６のフローチャートを用いて、ステップＳ２における学習モード用の生体状況評価を詳しく説明する。
【００６３】
ステップＳ１１にて、生体状況評価装置１０は、生体評価信号の典型的なレスポンスを取得するために、測定前に行う準備動作について、ユーザに指示を提示する。こうして、典型的な（あるいは理想的な）データが得られて、参照信号と比較することで、被験者の個人的な特性部分を考慮できる。例えば、図示はしていないが、液晶パネル等の表示部に文字表示で指示を提示する。典型的なレスポンスを起こすためには、例えば深呼吸後に息こらえする方法で、迷走神経を刺激するバルサルバ手技がある。迷走神経を刺激することによって、生体評価信号がＶ字型のレスポンスを示すことが知られている。そこで、例えば、このバルサルバ手技を行う指示と、その準備動作内容についての説明を表示する。
【００６４】
ステップＳ１２にて、ユーザの同意を待つ。すなわち、ユーザが入力装置にて測定開始の指示をするまで待機する。測定開始の指示があれば、ステップＳ１３にて、生体情報測定手段１１にて脈波の測定を行う。ステップＳ１４にて、ユーザの操作またはシステムのメッセージに応じて、測定を終了し、ステップＳ１５に進む。ステップＳ１５にて、特徴抽出手段１２は、測定された脈波から脈拍を検出し、ステップＳ１６にて、各脈拍の特徴情報Ｆ１〜Ｆ５を求める。ステップＳ１７にて、独立成分分析手段１３と有意成分算出手段１４により、有意成分Ｓを抽出する。
【００６５】
ここで、図７のフローチャートを用いて、ステップＳ１７を詳しく説明する。
【００６６】
ステップＳ２１にて、参照信号生成手段１５は、測定時間とバルサルバ手技が行われた時間帯に合わせて理想的あるいは典型的な参照信号を生成する。生体評価信号としてρｍａｘを用いる場合、ρｍａｘは、バルサルバ手技が実施されている前後に一定値「１」となり、それ以外の測定時間帯に０まで落ちるＶ字型またはＵ字型の形になる。そこで、参照信号生成手段１５は、この典型的ρｍａｘを参照信号として生成する。
【００６７】
ステップＳ２２にて、独立成分分析手段１３は、独立成分分析関数の係数aijを求めて独立成分分析関数を設定して、ステップＳ１６で抽出された特徴情報Ｆ１〜Ｆ５に含まれている独立成分ＩＣ１、ＩＣ２、ＩＣ３を抽出する。このときの独立成分分析関数は記録手段に保持される。ステップＳ２３にて、有意成分算出手段１４は、予め設定されている有意成分算出関数に従って独立成分ＩＣ１、ＩＣ２、ＩＣ３の重み付けで有意成分Ｓを算出し、生体評価信号算出手段１６は有意成分Ｓと特別特徴信号Ｆ４に基づいて生体評価信号ρｍａｘを算出する。そして、有意成分算出手段１４は、生体評価信号ρｍａｘをフィードバックされて、ステップＳ２１で合成された典型的な参照信号との二乗平均平方根誤差を求める。
ステップＳ２４にて、有意成分算出手段１４は、ステップＳ２３にて算出された二乗平均平方根誤差が一番少なくなるように、重み付けである係数ｂ１、ｂ２、ｂ３を調整して有意成分算出関数を求め、その有意成分算出関数を記録手段に保持する。
【００６８】
こうして、被験者の個人差を考慮して独立成分分析関数や有意成分算出関数を求めて、生体状況を評価するので、個人差を考慮した評価結果が得られる。
以上で図６のフローチャートの説明に戻る。
【００６９】
ステップＳ１８にて、生体評価信号算出手段１６は、ステップＳ１７で抽出された有意成分Ｓを基に生体評価信号ρｍａｘを算出し、その生体評価信号ρｍａｘを出力する（ステップＳ１９）。以上で学習モードにおける最適化処理を詳しく説明した。
【００７０】
次に、図８のフローチャートを用いて、ステップＳ３における評価モード用の生体状況評価を詳しく説明する。
【００７１】
ステップＳ３１にて、生体情報測定手段１１は、脈波の測定を行い、脈波の時系列データを蓄積する。ステップＳ３２にて、ユーザの動作やシステムのメッセージにより、測定を終了し、ステップＳ３３に進む。ステップＳ３３にて、特徴抽出手段１２は、ステップＳ３１で蓄積された脈波の時系列データの脈拍を求める。
【００７２】
ステップＳ３４にて、特徴抽出手段１２は、前記ステップＳ３３で検出された脈拍の特徴情報を抽出し、時系列データとして蓄積する。ステップＳ３５にて、学習モードで行われた最適化処理の際に得られた独立成分ＩＣ１、ＩＣ２、ＩＣ３を抽出するための係数ａｉｊや最適な有意成分Ｓを算出するための重み付けを用いて、最適な有意成分Ｓの時系列データを出力する。
【００７３】
ステップＳ３６にて、ステップＳ３４で抽出された特別特徴情報Ｆ４の時系列データと、前記ステップＳ３５で出力された最適な有意成分Ｓの時系列データを基に、生体評価信号ρｍａｘを算出する。例えば、非特許文献１に記載の方法でρｍａｘを算出する。尚、この場合、特別特徴は心拍数もしくは脈拍の頻度とする。
ステップＳ３７にて、前記ステップＳ３６で算出された生体評価信号ρｍａｘを出力し、終了する。
【００７４】
学習モードで被験者の個人差を考慮した独立成分分析関数や有意成分算出関数を求め、評価モードでは、これら関数に基づいて生体状況評価を行うので、正確な評価結果が得られる。測定した生体情報に含まれる自律神経機能の活動を表している情報を漏れなく抽出することができ、また副交感神経や交感神経の活動を表している情報を予め分別せずに自律神経機能等の生体状況評価を正確に行うことが出来る。
【００７５】
以上、本発明の実施形態を説明してきたが、本発明はこのような実施形態に限定されるものではなく、本発明の要旨を逸脱しない範囲における変更や追加があっても本発明に含まれる。
【００７６】
例えば、前記実施形態では、光電容積脈波センサを用いて脈波を測定されているが、本発明はこれに限定されるものではなく、血流量センサまたは圧力センサから得られる生体情報など様々の生体情報に適用できる。
【００７７】
また、前記実施形態では、特徴情報のリストを記載したが、抽出できる特徴はこのリストに記載の特定情報に限定はなく、生体情報測定手段により得られる様々の情報自体及び情報に含まれている特徴を用いても適用できる。
【００７８】
また、前記実施形態では、脈拍頻度或いは心拍数と、最適な独立成分に基づいて、一つの生体評価信号が算出されているが、有意成分算出手段において、二つ以上の最適な有意成分に基づいて、生体評価信号を算出する方法にも適用できる。さらに、生体評価を行うために生体評価信号算出手段に入力される特徴情報（特別特徴情報）も複数であってもよいし、全ての特徴情報を入力する場合もあり得る。
【００７９】
また、前記実施形態では、フィードバックする信号は生体評価信号のみであったが、これに限らず、算出した有意成分をフィードバックしてもよい。この場合は、参照信号を有意成分としなければならない。さらに、フィードバックは、これらを組み合わせてもよい。
【００８０】
フィードバックされた生体評価信号や有意成分信号が複数ある場合、誤差が最も低いものを優先に使うなどの処理を行う。例えば、生体指標の理想的な反応が得られない場合、生体信号の理想的な反応を優先にする。
【００８１】
また、前記実施形態では、脈拍頻度または心拍数を特別特徴と選定すると記載されているが、別の特徴を選んでも適用できる。また、前記実施形態では、生体状況評価指標の例としてρｍａｘを記載したが、他の生体状況評価指標を用いた方法にも適用できる。
【００８２】
また、前記実施形態では、典型的な参照信号を合成する際、バルサルバ手技を用いると記載されているが、典型的なレスポンスを起こす別の方法にも適用できる。例えば、呼吸統制または姿勢の変更によりレスポンスを利用した方法でも良い。
【産業上の利用可能性】
【００８３】
本発明の生体状況評価装置は、手軽に生態情報を測定して自律神経活動の状態の推定が可能であることから、家庭での健康管理モニターとしての応用が考えられる。さらに、携帯型にすることで、外出先や勤務先でも気軽に自分の体調をチェックするようなシステムを作ることも可能である。また、非特許文献１に記載の本来の目的である映像刺激の評価にも適用できる。例えば、映画の試写会で参加者に簡易装置を配布し、データを集めることで、映像コンテンツの安全性やエンターテイメント性を評価できる可能性があると考えられる。以上のように、本特許は、工学、医療、福祉などさまざまな分野で利用が可能である。
【図面の簡単な説明】
【００８４】
【図１】本発明に係る生体状況評価装置の一実施形態の構成を示すブロック図である。
【図２】脈波センサの構造例を示す図である。
【図３】脈波の波形の特徴情報を示す図である。
【図４】脈拍の立ち上がり点と終了点を示す図である。
【図５】本発明に係る生体状況評価装置の生体状況評価手順を示すフローチャートである。
【図６】図５のステップＳ２における学習用モード測定のフローチャートである。
【図７】図６のステップＳ１７における有意情報抽出のフローチャートである。
【図８】図５のステップＳ３における評価モード測定のフローチャートである。
【図９】生体の安静時の生理指標に関する特性の一例を示す図である。
【図１０】生体の有刺激時の生理指標に関する特性の一例を示す図である。
【図１１】ρｍａｘを用いた従来の生体状況評価装置の構成を示すブロック図である。
【図１２】ρｍａｘを用いた従来の生体状況装評価手順のフローチャートである。
【符号の説明】
【００８５】
１０  生体状況評価装置
１１  生体情報測定手段
１２  特徴抽出手段
１３  独立成分分析手段
１４  有意成分算出手段
１５  参照信号生成手段
１６  生体評価信号算出手段
１７  準備動作指示手段
２１、２２  スイッチ
３０  光電式指先容積脈波計
３１  発光部
３２  受光部
【図１】
2010005000.tif 000007
【図２】
2010005000.tif 000008
【図３】
2010005000.tif 000009
【図４】
2010005000.tif 000010
【図５】
2010005000.tif 000011
【図６】
2010005000.tif 000012
【図７】
2010005000.tif 000013
【図８】
2010005000.tif 000014
【図９】
2010005000.tif 000015
【図１０】
2010005000.tif 000016
【図１１】
2010005000.tif 000017
【図１２】
2010005000.tif 000018